(57)【要約】【課題】複数個の家具を任意の形状に沿って安定して配列できるようにする。【解決手段】腰掛けやテーブル等の家具であって、板状部(２)とこれを支持する脚部(３)とを備える。板状部(２)は、平面視で略円形の周縁部(2a)に円弧状の凹部(９)を形成してなり、この凹部(９)と周縁部(2a)とを略同一の曲率半径にする。脚部(３)を周縁部(2a)に沿って配置した３本の支持脚(６)で構成し、平面視で周縁部(2a)よりも外側に配置する。支持脚(６)の上端を板状部(２)の上面(４)よりも低位置に配置する。凹部(９)を、平面視で隣り合う支持脚(６・６)間に形成し、この凹部(９)の端部と近傍の支持脚(６)との間隔(L2)を、支持脚(６)の突出寸法(L1)以上に設定する。板状部(２)の下面に、凹部(９)に沿って段部(10)を凹設する。この段部(10)の上面を支持脚(６)の上端位置以上の高さに設定し、段部(10)の幅(Ｗ)を支持脚(６)の突出寸法(L1)以上に設定する。【選択図】  図１
2005319149.tif 000002
【特許請求の範囲】
【請求項１】
板状部(２)とこれを支持する脚部(３)とを備え、
上記の板状部(２)は、平面視で略円形の周縁部(2a)に円弧状の凹部(９)を形成してなり、
上記の凹部(９)は、上記の周縁部(2a)と略同一の曲率半径を有することを特徴とする、家具。
【請求項２】
上記の脚部(３)を、上記の周縁部(2a)に沿って配置した３本以上の支持脚(６…)で構成し、上記の凹部(９)を、平面視で隣り合う支持脚(６・６)間に形成した、請求項１に記載の家具。
【請求項３】
上記の支持脚(６)を、平面視で上記の板状部(２)の周縁部(2a)よりも外側に突出させて配置し、
上記の支持脚(６)の上端を、上記の板状部(２)の上面(４)よりも低位置に配置し、
上記の凹部(９)の端部と近傍の支持脚(６)との間隔(L2)を、上記の周縁部(2a)から外方への支持脚(６)の突出寸法(L1)以上に設定した、請求項２に記載の家具。
【請求項４】
上記の板状部(２)の周側面(７)の中間高さに脚支持部(８)を形成して、この脚支持部(８)に上記の支持脚(６)を固定し、
上記の板状部(２)の下面に、上記の凹部(９)に沿って段部(10)を凹設し、この段部(10)の上面(11)を、上記の支持脚(６)の上端位置以上の高さに設定し、この段部(10)の幅(Ｗ)を上記の支持脚(６)の突出寸法(L1)以上に設定した、請求項３に記載の家具。
【請求項５】
上記の凹部(９)を、板状部上面(４)での中心角(α)が４５〜１２０度の範囲に形成した、請求項１から４のいずれか１項に記載の家具。
【請求項６】
上記の板状部上面(４)に、手指を挿入可能な穴部(５)を形成した、請求項１から５のいずれか１項に記載の家具。
【発明の詳細な説明】
【技術分野】
【０００１】
本発明は、腰掛けやテーブルなどの家具に関し、さらに詳しくは複数個を任意の形状に沿って安定して配列できる家具に関する。
【背景技術】
【０００２】
従来、背もたれのない腰掛けにあっては、平面視で円形の座板と、これを支持する脚部とを備えたものがある(例えば、特許文献１参照。)。
即ち、この腰掛けは円板状の座板の下面に、例えば４本など、３本以上の支持脚からなる脚部を固定してある。各支持脚は座板の周縁部に沿って等間隔に配置してあり、この複数の支持脚により上記の座板と、その座面に着座する人を安定して支持できるように構成してある。
【０００３】
上記の腰掛けは、例えば幼稚園などで多人数が集団で行動する際に、複数脚を円環状など、任意の形状に沿って並べて腰掛ける場合がある。
しかしながら、上記の従来技術では座板が平面視で円形であるため、隣接する腰掛け同士は平面視で周縁部の１点でしか接することができない。このため、腰掛けの配列が不安定になり易く、上記の任意の形状から乱れてしまい易い問題があった。
【０００４】
一方、他の形状の腰掛けとして、座板が平面視で四角形など、多角形に形成したものもある。この場合には、複数脚の腰掛けを並べる際に、隣接する腰掛けを座板の周縁部のいずれかの辺で線状に接した状態に配置できるので、腰掛けの配列が安定する。しかしながら、この平面視で多角形の腰掛けは、隣接する腰掛けが上記の辺と直交方向にのみ配置されるため、例えば円環状など、任意の形状に沿って腰掛けを配列することができない問題があった。
【０００５】
【特許文献１】実公昭３７−２２２２９号公報
【発明の開示】
【発明が解決しようとする課題】
【０００６】
本発明は上記の問題点を解消し、複数個を任意の形状に沿って安定して配列できる家具を提供することを技術的課題とする。
【課題を解決するための手段】
【０００７】
本発明は上記の課題を解決するために、例えば、本発明の実施の形態を示す図１から図７に基づいて説明すると、次のように構成したものである。
即ち、本発明は家具に関し、板状部(２)とこれを支持する脚部(３)とを備え、上記の板状部(２)は、平面視で略円形の周縁部(2a)に円弧状の凹部(９)を形成してなり、上記の凹部(９)は、上記の周縁部(2a)と略同一の曲率半径を有することを特徴とする。
【０００８】
複数の家具を互いに隣接させて並べる場合、上記の周縁部とこれに形成した上記の凹部は曲率半径が略同一であることから、互いに隣接させて並べた２つの家具は、一方の家具の凹部に他方の家具の周縁部を嵌合状態に当接させることができる。このとき、上記の周縁部は平面視で略円形であることから、上記の他方の家具は上記の一方の家具の凹部に周縁部を当接した状態で、任意の角度に回動できる。従って、この他方の家具に形成した凹部を、上記の一方の家具に対して任意の方向に向けることができ、これにより複数の家具が円環状など、任意の形状に沿って安定して配列される。
【０００９】
上記の脚部は上記の板状部を支持できればよく、特定の形状や構造に限定されない。例えば、板状部の中央を下方から支持する一本の支持脚であってもよく、或いは板状部の周縁に沿って配置した筒状体であってもよい。しかし、この脚部を、上記の周縁部に沿って配置した３本以上の支持脚で構成し、上記の凹部を、隣り合う支持脚間に形成した場合には、軽量に構成できるうえ、脚部による支持面を広くできるので板状部を安定して支持できる利点がある。なお、このときの複数本の支持脚は、平面視で等間隔に配置すると板状部を各支持脚で均等に支持できるので好ましい。また、この支持脚の本数は、多くすると凹部の形成範囲が狭くなり、隣接配置した家具と線状に当接する長さが短くなるので、４本以下がより好ましく、３本にすると最も好ましい。
【００１０】
上記の支持脚は、平面視で板状部内に配置することも可能であるが、この支持脚を、平面視で上記の板状部の周縁部よりも外側に突出させて配置すると、支持脚による支持面積が広くなり、板状部を安定して支持できるうえ、支持脚の位置を周方向へずらせることにより、複数の家具を板状部で上下に積み重ねること(以下、スタッキングという)ができ、好ましい。
【００１１】
この場合、隣接する家具を上記の凹部に沿って回動させた際に、上記の支持脚が板状部と干渉せぬよう、この支持脚の上端は上記の板状部の上面よりも低位置に配置される。さらに、上記の支持脚が隣接する家具の支持脚と干渉せぬよう、上記の凹部の端部と近傍の支持脚との間隔は、上記の周縁部から外方への支持脚の突出寸法以上に設定される。
【００１２】
上記の支持脚は、板状部の下面に脚支持部を付設して、この脚支持部に支持させてもよいが、この場合には、上記のスタッキングの際に、上記の板状部が脚支持部を挟んで積み重なる。このため、上下に積み重ねた家具の高さが高くなって不安定になり易く、多数の家具をスタッキングできない虞がある。
【００１３】
これに対し、上記の板状部の周側面の中間高さに脚支持部を形成して、この脚支持部に上記の支持脚を固定させた場合には、スタッキングの際に板状部を直接に積み重ねることができ、その積み重ね高さを低く抑えることができる。この結果、多数の家具を安定して積み重ねることができるので、好ましい。
【００１４】
この場合、脚支持部が板状部の周側面の中間高さに配置されているので、この脚支持部やこれに固定した支持脚が隣接する家具の板状部と干渉する虞がある。そこで、上記の板状部の下面に、上記の凹部に沿って段部が凹設され、このとき、この段部の上面は上記の支持脚部の上端位置以上の高さに設定され、この段部の幅は上記の支持脚の突出寸法以上に設定される。これにより、隣接させた家具の支持脚をこの段部の下方にもぐり込ませることができ、支持脚と板状部とを干渉させることなく、隣接する家具を上記の凹部に沿って自由に回動させることができる。
【００１５】
上記の凹部の形成範囲は、狭くなると、隣接家具と平面視で線状に接する長さが短くなり、配列が不安定になり易い。一方、上記の形成範囲が過剰に広くなると、上記の板状部の上面の面積が小さくなる問題がある。このため、上記の凹部の形成範囲は、通常、板状部上面での中心角が４５〜１２０度の範囲に形成され、より好ましくは６０〜９０度の範囲に形成される。
【００１６】
上記の板状部は、上面に手指を挿入できる穴部を形成することができる。この場合、この穴部に手指を挿入することで家具を取り扱うことができ、例えば、腰掛けのように小形の家具の場合には片手で持ち上げて搬送などでき、配列操作や方向の調整なども簡単にできるので、好ましい。
【発明の効果】
【００１７】
上記の周縁部とこれに形成した上記の凹部は曲率半径が略同一であることから、互いに隣接させて並べた２つの家具は、一方の家具の凹部に他方の家具の周縁部を嵌合状態に当接でき、この両家具を平面視で線状に当接させることができる。しかも、上記の周縁部は平面視で略円形であることから、一方の家具の凹部に他方の家具の周縁部を当接した状態で、任意の角度に回動でき、この他方の家具に形成した凹部を、上記の一方の家具に対して任意の方向に向けることができる。この結果、複数の家具を、円環状など、任意の形状に沿って安定して配列することができる。
【発明を実施するための最良の形態】
【００１８】
以下、本発明の実施の形態を図面に基づき説明する。
図１から図４は本発明を腰掛けに適用した実施形態を示し、図１は斜め上方から見た腰掛けの斜視図、図２は腰掛けの一部破断平面図、図３は斜め下方から見た腰掛けの斜視図、図４は図２のIV−IV線矢視断面図である。
【００１９】
図１に示すように、この腰掛け(１)は、板状部である座板(２)と、これを支持する脚部(３)からなり、座板(２)には、上面の座面(４)に顔のような形状の、手指を挿入可能な穴部(５)を透設してある。
上記の脚部(３)は座板(２)の周縁部(2a)に沿って配置した３本の支持脚(６)からなる。即ち、上記の座板(２)の周側面(７)には、中間高さ以下に脚支持部(８)を突設形成してあり、この脚支持部(８)の下面に、上記の支持脚(６)を固定してある。従って、この支持脚(６)の上端は、上記の座面(４)よりも低位置に配置されている。
【００２０】
図２に示すように、上記の座板(２)は平面視で略円形の周縁部(2a)に円弧状の凹部(９)を形成してなる。この優弧の周縁部(2a)と劣弧の凹部(９)は、略同一の曲率半径を有している。従って、隣接する腰掛け(１)の座板(２)の周縁部(2a)をこの凹部(９)へ嵌合する状態に当接させて配列でき、しかも、この凹部(９)に沿って隣接する腰掛け(１)を自由に回動させることができる。
【００２１】
上記の凹部(９)は、上記の支持脚(６・６)間に形成してあり、座面(４)での中心角(α)が、例えば約８０度程度の範囲内に形成してある。この凹部(９)の形成範囲を広くすると座面(４)の面積が小さくなるとともに、隣接する腰掛け(１)が近づく。逆にこの凹部(９)の形成範囲を狭くすると、隣接する腰掛け(１)との平面視での当接長さが短くなる。
【００２２】
前記の脚支持部(８)は、座板(２)の周縁部(2a)に沿って等間隔に設けてあり、この脚支持部(８)に固定された支持脚(６)は、平面視で上記の座板(２)の周縁部(2a)から所定寸法(L1)だけ外側に突出している。従って、この３本の支持脚(６)による支持面積は広く形成され、座板(２)を安定して支持できる。また、上記の凹部(９)の端部と近傍の支持脚(６)との間隔(L2)は、この支持脚(６)の上記の突出寸法(L1)よりも僅かに大きくしてある。これにより、隣接する腰掛け(１)を凹部(９)に沿って回動させた場合に、この凹部(９)の近傍の支持脚(６)と、隣接する腰掛け(１)の支持脚(６)との衝突が防止される。
【００２３】
図３に示すように、上記の座板(２)の下面には、上記の凹部(９)に沿って段部(10)が凹設してある。図４に示すように、この段部(10)の上面(11)は前記の脚支持部(８)の上面と略同じか僅かに高い位置に形成してある。また、この段部(10)の幅(Ｗ)は、上記の支持脚(６)の突出寸法(L1)と略同じか僅かに広く形成してある。これにより、隣接している腰掛け(１)を凹部(９)に沿って回動させると、図２に示すように、この隣設する腰掛け(１)の支持脚(６)が上記の段部(10)の下方にもぐり込み、座板(２)と干渉することがない。
【００２４】
上記の腰掛け(１)は、凹部(９)に沿って隣接する腰掛け(１)を自由に回動できるので、例えば図５に示すように、任意の形状に沿って配列することができる。
即ち、図５(ａ)は３脚の腰掛け(１…)を三角形状に配置した配列例であり、図５(ｂ)は５脚の腰掛け(１…)を円環状に配置した配列例であり、図５(ｃ)は複数の腰掛け(１…)を例えば仮想線に示すような任意の波形状に配置した配列例である。なお、上記の配列例ではいずれも隣接する腰掛けを互いに当接させて配列した。しかし、本発明の腰掛け等の家具は、他の家具から離隔させて配置してもよく、また、単独で使用してもよいことは言うまでもない。
【００２５】
上記の腰掛けを片付ける場合には、例えば図６に示すように、複数脚の腰掛け(１…)がコンパクトに積み重ねられる。
この場合、座板(２)が直接に積み重ねられるので、スタッキングの高さを低く抑えることができる。また、支持脚(６)同士の間隔を支持脚(６)の幅で除した数だけ積み重ねた際に、そのスタッキング高さを脚支持部(８)の高さよりも僅かに高くなるようにしてあり、これにより多数の腰掛け(１…)をスタッキングすることができる。例えば支持脚(６・６)同士の間隔が３５０ｍｍ、支持脚(６)の幅が３５ｍｍ、座板(２)の厚さが２５ｍｍ、脚支持部(８)の高さが２４０ｍｍの場合、約１ｍの高さに３０脚の腰掛けをスタッキングすることができる。
【００２６】
本発明の板状部や脚部等の構造、形状、材質等は上記の実施形態のものに限定されず、本発明の特許請求の範囲内において種々の変更を加え得るものである。
【００２７】
例えば、上記の実施形態では複数枚の板を積層して板状部を一体に形成したが、本発明では１枚の板材を加工して板状部を形成してもよい。また、この板状部や支持脚は木材を用いると適度の強度と柔らかさがあり、使用者に優しいので好ましいが、合成樹脂や金属などを用いて形成することも可能である。
【００２８】
図７(ａ)は第１変形例を示す腰掛けの平面図であり、この腰掛け(１)の座板(２)には２箇所に凹部(９)を形成してある。この腰掛け(１)と前記の実施形態の腰掛けや凹部を形成していない腰掛けなどを組み合わせて、複数の腰掛けを任意の形状に沿って安定配列することができる。
【００２９】
図７(ｂ)は第２変形例を示す斜め下方から見た腰掛けの斜視図である。この第２変形例では、脚部(３)を４本の支持脚(６)で構成してあり、座板(２)の下面に十字形の脚支持部(８)を付設し、この脚支持部(８)の各先端に、それぞれ支持脚(６)を連設してある。この第２変形例では、前記の実施形態と比較して、スタッキングすると脚支持部の厚み分だけスタッキング高さが高くなるが、支持脚(６)の上端が座板(２)の下面よりも下方に位置するので、座板(２)には凹部(９)を形成するだけでよく、前記の段部を省略して安価に実施することができる。また、この第２変形例では、支持脚(６)の断面を四角形に形成してある。但し、本発明では支持脚の断面を円形や多角形以外の形状にしてもよく、表面に刳り等の装飾を施すことも可能である。
【００３０】
図７(ｃ)は第３変形例を示す、腰掛けの斜視図である。この第３変形例では脚部(３)を１本の支持脚(６)で構成してあり、座板(２)の下面中央をこの支持脚(６)に支持させてある。この第３変形例ではスタッキングができないが、前記の実施形態と同様、隣接する腰掛け(１)の座板(２)の周縁部(2a)を凹部(９)に当接でき、この凹部(９)に沿って隣接する腰掛け(１)を自由に回動できるので、複数の腰掛け(１)を任意の形状に沿って安定して配列することが可能である。
【００３１】
上記の実施形態では腰掛けに適用した場合について説明したが、テーブルなど、板状部と脚部を備えた他の家具に適用することも可能である。また、上記の実施形態では座板に笑顔状の穴部を形成したが、本発明では板状部に他の形状の穴部を形成してもよく、或いは穴部を省略してもよいことは言うまでもない。
【産業上の利用可能性】
【００３２】
本発明は、複数個の家具を任意の形状に沿って安定して配列できるので、例えば幼稚園などで多人数が集団で行動する際に用いる腰掛けに好適に利用できるが、テーブルなど他の家具にも利用できることはいうまでもない。
【図面の簡単な説明】
【００３３】
【図１】本発明の実施形態の、斜め上方から見た腰掛けの斜視図である。
【図２】本発明の実施形態の、腰掛けの一部破断平面図である。
【図３】本発明の実施形態の、斜め下方から見た腰掛けの斜視図である。
【図４】図２のIV−IV線矢視断面図である。
【図５】本発明の実施形態の腰掛けの配列例を示し、図５(ａ)は３脚の腰掛けを三角形状に配置した配列例であり、図５(ｂ)は５脚の腰掛けを円環状に配置した配列例であり、図５(ｃ)は複数の腰掛けを任意の波形状に配置した配列例である。
【図６】本発明の実施形態の、腰掛けを積み重ねた状態の斜視図である。
【図７】本発明の変形例を示し、図７(ａ)は第１変形例の腰掛けの平面図であり、図７(ｂ)は第２変形例の斜め下方から見た腰掛けの斜視図であり、図７(ｃ)は第３変形例の斜め上方から見た腰掛けの斜視図である。
【符号の説明】
【００３４】
１…家具(腰掛け)
２…板状部(座板)
2a…板状部(座板)の周縁部
３…脚部
４…板状部上面(座面)
５…穴部
６…支持脚
７…板状部(座板)の周側面
８…脚支持部
９…凹部
10…段部
11…段部の上面
α…板状部上面(座面)での中心角
L1…支持脚の突出寸法
L2…凹部の端部と近傍の支持脚との間隔
Ｗ…段部の幅
【図１】
2005319149.tif 000003
【図２】
2005319149.tif 000004
【図３】
2005319149.tif 000005
【図４】
2005319149.tif 000006
【図５】
2005319149.tif 000007
【図７】
2005319149.tif 000008
【図６】
2005319149.tif 000009